(57)【特許請求の範囲】
【請求項１】
ＰｏＣ（Ｐｕｓｈ−ｔｏ−ｔａｌｋ  ｏｖｅｒ  Ｃｅｌｌｕｌａｒ）通信に対応した複数のＰｏＣ端末と、
前記複数のＰｏＣ端末間の通信を中継し、前記複数のＰｏＣ端末の発言権を管理する中継サーバと
を具備し、
前記複数のＰｏＣ端末は、
前記複数のＰｏＣ端末が属するＰｏＣグループを作成し、前記ＰｏＣグループに属する端末とＰｏＣ通信するための操作ボタンを有するユーザ端末と、
前記ＰｏＣグループに属し、前記ＰｏＣグループ内に配信可能なデータを保有するデータ端末と
を含み、
前記ユーザ端末は、前記中継サーバへアクセスして前記ＰｏＣグループに属する端末との通信経路を確立し、前記データ端末からのデータ配信が選択されて前記操作ボタンが押下された際、前記中継サーバに対して、前記データ端末への発言権の付与要求を行い、
前記中継サーバは、前記データ端末への発言権の付与要求に応じて、前記データ端末に発言権を付与し、
前記データ端末は、発言権の付与に応じて、前記データを前記中継サーバにＰｕｓｈ配信し、
前記中継サーバは、前記Ｐｕｓｈ配信されたデータを複製し、前記ＰｏＣグループに属する端末に転送する
発言権管理システム。
【請求項２】
請求項１に記載の発言権管理システムであって、
前記ユーザ端末は、前記操作ボタンが離された際、前記中継サーバに対して、前記データ端末の発言権の解放要求を行い、
前記中継サーバは、前記データ端末の発言権の解放要求に応じて、前記データ端末の発言権を解放し、
前記データ端末は、発言権が解放されると、前記データのＰｕｓｈ配信を終了する
発言権管理システム。
【請求項３】
請求項１又は２に記載の発言権管理システムであって、
前記複数のＰｏＣ端末間の通信の際に認証を行う認証サーバ
を更に具備し、
前記データ端末は、直接手動操作できない端末であり、
前記認証サーバは、前記ユーザ端末に対して、前記データ端末の使用権を認証し、
前記中継サーバは、前記ユーザ端末から前記データ端末への発言権の付与要求を受けた際に、前記ユーザ端末が前記認証サーバから前記データ端末の使用権を認証されていれば、前記データ端末への発言権の付与要求に応じて、前記データ端末に発言権を付与する
発言権管理システム。
【請求項４】
請求項３に記載の発言権管理システムであって、
前記認証サーバは、前記ＰｏＣグループに属する端末に対して、前記データ端末の使用権を認証し、
前記中継サーバは、前記データ端末から前記データがＰｕｓｈ配信された際に、前記ＰｏＣグループに属する端末が前記認証サーバから前記データ端末の使用権を認証されていれば、前記ＰｏＣグループに属する端末に前記データを転送する
発言権管理システム。
【請求項５】
請求項１乃至４のいずれか一項に記載の発言権管理システムであって、
前記中継サーバは、前記ＰｏＣグループに属する端末の通信状況に関するプレゼンス情報を管理し、前記データ端末から前記データがＰｕｓｈ配信された際、前記ＰｏＣグループに属する端末のうち通信可能な状況にある端末に前記データを転送する
発言権管理システム。
【請求項６】
請求項１乃至５のいずれか一項に記載の発言権管理システムにおいて、ＰｏＣ端末及び中継サーバのいずれかとして使用される計算機。
【請求項７】
中継サーバにおいて、ＰｏＣ（Ｐｕｓｈ−ｔｏ−ｔａｌｋ  ｏｖｅｒ  Ｃｅｌｌｕｌａｒ）通信に対応した複数のＰｏＣ端末間の通信を中継し、前記複数のＰｏＣ端末の発言権を管理することと、
前記複数のＰｏＣ端末のうちユーザ端末において、前記複数のＰｏＣ端末が属するＰｏＣグループを作成することと、
前記複数のＰｏＣ端末のうちデータ端末において、前記ＰｏＣグループ内に配信可能なデータを保持することと、
前記ユーザ端末において、前記中継サーバへアクセスして前記ＰｏＣグループに属する端末との通信経路を確立することと、
前記ユーザ端末において、前記データ端末からのデータ配信が選択されて操作ボタンが押下された際、前記中継サーバに対して、前記データ端末への発言権の付与要求を行うことと、
前記中継サーバにおいて、前記データ端末への発言権の付与要求に応じて、前記データ端末に発言権を付与することと、
前記データ端末において、発言権の付与に応じて、前記データを前記中継サーバにＰｕｓｈ配信することと、
前記中継サーバにおいて、前記Ｐｕｓｈ配信されたデータを複製し、前記ＰｏＣグループに属する端末に転送することと
を含む
発言権管理方法。
【請求項８】
請求項７に記載の発言権管理方法であって、
前記ユーザ端末において、前記操作ボタンが離された際、前記中継サーバに対して、前記データ端末の発言権の解放要求を行うことと、
前記中継サーバにおいて、前記データ端末の発言権の解放要求に応じて、前記データ端末の発言権を解放することと、
前記データ端末において、発言権が解放されると、前記データのＰｕｓｈ配信を終了することと
を更に含む
発言権管理方法。
【請求項９】
請求項７又は８に記載の発言権管理方法であって、
認証サーバにおいて、前記複数のＰｏＣ端末間の通信の際に認証を行うことと、
直接手動操作できない端末を、前記データ端末として使用することと、
前記認証サーバにおいて、前記ユーザ端末に対して、前記データ端末の使用権を認証することと、
前記中継サーバにおいて、前記ユーザ端末から前記データ端末への発言権の付与要求を受けた際に、前記ユーザ端末が前記認証サーバから前記データ端末の使用権を認証されていれば、前記データ端末への発言権の付与要求に応じて、前記データ端末に発言権を付与することと
を更に含む
発言権管理方法。
【請求項１０】
請求項９に記載の発言権管理方法であって、
前記認証サーバにおいて、前記ＰｏＣグループに属する端末に対して、前記データ端末の使用権を認証することと、
前記中継サーバにおいて、前記データ端末から前記データがＰｕｓｈ配信された際に、前記ＰｏＣグループに属する端末が前記認証サーバから前記データ端末の使用権を認証されていれば、前記ＰｏＣグループに属する端末に前記データを転送することと
を更に含む
発言権管理方法。
【請求項１１】
請求項７乃至１０のいずれか一項に記載の発言権管理方法であって、
前記中継サーバにおいて、前記ＰｏＣグループに属する端末の通信状況に関するプレゼンス情報を管理することと、
前記中継サーバにおいて、前記データ端末から前記データがＰｕｓｈ配信された際、前記ＰｏＣグループに属する端末のうち通信可能な状況にある端末に前記データを転送することと
を更に含む
発言権管理方法。
【請求項１２】
請求項７乃至１１のいずれか一項に記載の発言権管理方法におけるＰｏＣ端末及び中継サーバのいずれかとしての動作を、計算機に実行させるためのプログラム。
【発明の詳細な説明】
【技術分野】
【０００１】
本発明は、半二重通信における他端末の発言権管理を行う発言権管理システム、発言権管理方法、及びプログラムに関する。
【背景技術】
【０００２】
ＰｏＣ（Ｐｕｓｈ−ｔｏ−Ｔａｌｋ  ｏｖｅｒ  Ｃｅｌｌｕｌａｒ）は、１対１又はグループ間での迅速なコミュニケーションを実現する手段である。例えば、図１，図２に示すように、携帯端末をトランシーバのように使用し、話す時に通話ボタンを押して会話するサービスを利用することが可能となる。この時、会話を開始するためには、ダイヤルを回す代わりに、ボタンを一押しするだけで簡単に、電話帳を始めとする「仲間リスト」にアクセスしたり、連絡したい相手を選ぶことができる。また、ボタンをもう１度押して話すだけで、送信者の声は受信者に届けられる。
【０００３】
ＰｏＣの特徴は、多数の相手に音声メッセージを一斉配信できる点である。電話交換機を介して回線交換方式で接続する従来の音声通話サービスと異なり、パケット通信ネットワーク経由で送ることで実現する。
【０００４】
また、移動通信事業者にとっては、ＰｏＣは音声サービスの全く新しい領域を切り開き、電話サービスを大幅に強化するものである。自分の電話にＰｏＣ機能を持つエンド・ユーザーは、端末をより頻繁に使用するようになることが過去の経験から実証されており、その結果、移動通信事業者に対して新しい収益源を、更には既存のインフラから比較的に低いリスクで高収益をもたらす可能性を提供する。
【０００５】
但し、従来のＰｏＣ通信／通話では、Ｐｕｓｈボタンを押下することで、自端末からの発言権をコントロールし、自端末内のみの音声／映像データを相互に送付し合う方法をとっていた。この方法では、自端末からの音声／映像データしか発言権をコントロールできないため、ＰｏＣ参加ユーザ端末としてはＰＣやモバイル端末等、利用者が直接手動操作できるものに限られてしまう。無人の監視モニター等、直接操作できない端末には受信しかできないという問題点があった。
【０００６】
関連する技術として、特開２００１−７６２７３号公報にホームセキュリティシステムが開示されている。このホームセキュリティシステムは、室内外の監視を行う監視装置、監視制御を行う制御装置、通信制御を行う通信装置を具備する。前記監視装置は、監視カメラを含んで構成される。前記通信装置は、前記監視カメラで撮影された動画像を高能率符号化する高能率動画像符号化手段と、外部の通信端末から着信があった場合に前記高能率動画像符号化手段により高能率符号化された動画像を低ビットレートで前記通信端末へ伝送する着発信制御手段とを具備する。
【０００７】
特開２００２−２９１０５７号公報に遠隔操作装置が開示されている。この遠隔操作装置では、宅内の各機器を集中制御する制御機能を有する宅内制御装置を、通信機能を有する通信モジュールを介して通信網に接続にしておく。外部の通信手段から前記通信モジュールにアクセスされた時、前記宅内制御装置は、前記通信手段から送信された識別情報及びパスワードが、予め登録された制御許可者のものであるかを判定し、制御許可者によるアクセス時のみ、宅内制御装置へのアクセスを許可する。
【０００８】
【特許文献１】特開２００１−７６２７３号公報
【特許文献２】特開２００２−２９１０５７号公報
【発明の開示】
【発明が解決しようとする課題】
【０００９】
本発明の目的は、監視モニターのように直接手動操作できないネットワーク端末に対して、各ユーザが使用ユーザ登録をすることにより、ＰｏＣ通信中にそのネットワーク端末の発言権をコントロールすることができる発言権管理システム、発言権管理方法、及びプログラムを提供することである。
本発明の他の目的は、１つのＰＣ／モバイル端末で異なる端末から音声／映像データを送付させることができる発言権管理システム、発言権管理方法、及びプログラムを提供することである。
【課題を解決するための手段】
【００１０】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。但し、それらの番号を、［特許請求の範囲］に記載されている発明の技術的範囲の解釈に用いてはならない。
【００１１】
本発明の発言権管理システムは、操作ボタンを有するユーザ端末（１，１−１）と、配信可能なデータを保有するデータ端末（１，１−３）と、前記ユーザ端末（１，１−１）と前記データ端末（１，１−３）との間の通信を中継する中継サーバ（２）と、前記ユーザ端末（１，１−１）と前記データ端末（１，１−３）との間の通信の際に認証を行う認証サーバ（３）とを具備する。
前記ユーザ端末（１，１−１）は、前記中継サーバ（２）へアクセスして前記データ端末（１，１−３）との通信経路を確立し、前記認証サーバ（３）より前記データ端末（１，１−３）に対する使用権を認証された場合、前記操作ボタンが押下されると前記データ端末（１，１−３）の発言権の付与要求を行う。前記中継サーバ（２）は、前記データ端末（１，１−３）に前記発言権を付与する。前記データ端末（１，１−３）は、前記発言権の付与に応じて前記ユーザ端末（１，１−１）に前記データを配信する。
【００１２】
前記ユーザ端末（１，１−１）は、前記データの配信の対象となる通信グループを作成する。
【００１３】
前記ユーザ端末（１，１−１）は、前記操作ボタンが押下されることで、前記中継サーバ２へ前記データ端末（１，１−３）の前記発言権の付与を要求し、前記中継サーバ２は、前記データ端末（１，１−３）へ前記発言権を付与する。
【００１４】
前記データ端末（１，１−３）は、前記発言権の付与に伴い、前記通信グループ内に前記データの配信を実行する。
【００１５】
前記中継サーバ２は、前記データ端末（１，１−３）から配信されたデータを複製し、前記通信グループに参加している端末に転送する。
【００１６】
前記ユーザ端末（１，１−１）は、前記操作ボタンが離されると、前記発言権を解放し、前記データ端末（１，１−３）は、前記データの配信を終了する。
【００１７】
前記データの配信は、ＰｏＣ（Ｐｕｓｈ−ｔｏ−Ｔａｌｋ  ｏｖｅｒ  Ｃｅｌｌｕｌａｒ）通信で行う。
【００１８】
本発明の発言権管理システムは、配信可能なデータを保有するデータ端末（１，１−３）と、操作ボタンを有し、認証サーバ（３）から前記データの使用を許可された時、前記操作ボタンを押下されると、前記データ端末（１，１−３）から前記データを配信させるユーザ端末（１，１−１）とを具備する。
【００１９】
本発明の発言権管理方法は、（ａ）ユーザがユーザ端末の操作ボタンを押下することで、データを保有するデータ端末からのデータ配信を実行するステップと、（ｂ）前記ユーザ端末と前記データ端末との間の通信経路を確立するステップと、（ｃ）前記ユーザ端末への前記データ配信を許可するか否かの認証を行うステップとを具備する。
【００２０】
本発明の発言権管理方法は、（ｄ）前記データ配信の対象となる通信グループを作成するステップを更に具備する。
【００２１】
前記（ａ）ステップは、（ａ１）前記操作ボタンが押下されることで、前記データ端末の前記発言権を付与するステップと、（ａ２）前記発言権の付与に伴い、前記通信グループ内に前記データ配信を実行するステップを更に具備する。
【００２２】
前記（ｂ）ステップは、（ｂ１）前記データ端末から配信されたデータを複製し、前記通信グループに参加している端末に転送するステップを更に具備する。
【００２３】
本発明の発言権管理方法は、（ｅ）前記操作ボタンが離された時、前記発言権を解放するステップと、（ｆ）前記発言権が解放された時、前記データ配信を終了するステップとを更に具備する。
【００２４】
前記データ配信は、ＰｏＣ（Ｐｕｓｈ−ｔｏ−Ｔａｌｋ  ｏｖｅｒ  Ｃｅｌｌｕｌａｒ）通信で行う。
【００２５】
本発明のプログラムは、上記のうち少なくとも１つの発言権管理方法をコンピュータに実行させる。
【発明の効果】
【００２６】
第１の効果は、このＰｏＣ通話／通信方法によって他端末からの情報を自分で得ることができるので、「人」と「人」とのコミュニケーションに加えて、「人」と「モノ」とのコミュニケーションが増加し、ＰｏＣ通信の使用が活性化できることである。
第２の効果は、ＰｏＣサービスを利用しているので、他端末からの情報を利用者が「観たい／手に入れたい時」に「同時に複数の参加者に対して」享受できることである。
【発明を実施するための最良の形態】
【００２７】
以下に、本発明の第１実施形態について添付図面を参照して説明する。
図３に示すように、本発明は、ＰｏＣ（Ｐｕｓｈ−ｔｏ−Ｔａｌｋ  ｏｖｅｒ  Ｃｅｌｌｕｌａｒ）通信／通話に対応した発言権管理システムに関する。本発明の発言権管理システムは、ＰｏＣ端末１、ＰｏＣサーバ２、認証サーバ３を含む構成となっている。
【００２８】
ＰｏＣ端末１（１−ｉ、ｉ＝１〜ｎ：ｎはＰｏＣ端末の台数）は、ＰｏＣ通信／通話に対応している端末（ネットワーク機器を含む）で、事前に登録をすれば他端末の発言権をコントロールできる。
ＰｏＣサーバ２は、ＰｏＣ端末１でのＰｏＣセッション確立／発言権の管理を担っている。なお、ＰｏＣサーバ２として、ＳＩＰ（Ｓｅｓｓｉｏｎ  Ｉｎｉｔｉａｔｉｏｎ  Ｐｒｏｔｏｃｏｌ）サーバを使用しても良い。
認証サーバ３は、ＰｏＣセッション中に他端末の発言権をコントロールする際、事前に登録を行っているユーザの認証を行う。登録する際は、ＰｏＣ端末１からＷｅｂ登録等によりデータベースに書き込むか、又は認証サーバ３の保守者／管理者が直接データベースに書き込む。
【００２９】
なお、認証サーバ３に登録するデータについては、ＰｏＣ通信／通話の際にＰｏＣ端末１を識別できる情報を用いる。例えば、ＰｏＣ端末１が携帯電話機である場合、ＰｏＣ端末１の電話番号やメールアドレス、又はＰｏＣ端末１に与えられた端末ＩＤ（Ｉｄｅｎｔｉｆｉｃａｔｉｏｎ）といったＰｏＣ端末１に固有の識別情報を登録するようにする。
【００３０】
ＰｏＣ端末１とＰｏＣサーバ２とは、ネットワーク（通信回線）４を介して接続されている。なお、ＰｏＣ端末１、ＰｏＣサーバ２、及び認証サーバ３の間でデータを送受信するための伝送経路は有線でも無線でも良い。なお、認証サーバ３は、ＰｏＣ端末１とＰｏＣサーバ２の間に設けても良い。
【００３１】
本発明の実施例として、ＰｏＣを利用した監視モニターの制御について説明する。
図４を参照すると、本発明の一実施例としてのＰｏＣシステムが示されている。図において、ＰｏＣ端末１に該当するユーザ端末Ａ：１−１、ユーザ端末Ｂ：１−２、及び端末Ｃ：１−３が存在する。ユーザ端末Ａ：１−１、ユーザ端末Ｂ：１−２は、利用者が直接手動できる状態にある。ユーザ端末Ａ：１−１やユーザ端末Ｂ：１−２として、ここでは携帯端末やＰＣ端末を想定している。端末Ｃ：１−３は、例えば、無人監視モニターのように直接手動操作できない端末である。これはネットワーク４に接続して自動運転しており、利用者によって直接操作はできない。ＰｏＣサーバ２はユーザ端末Ａ：１−１、ユーザ端末Ｂ：１−２、端末Ｃ：１−３は互いにネットワーク４で接続されており、ＰｏＣサービスの際は、呼の確立／ＰｏＣグループの作成／管理／音声データの転送／発言権を制御する。認証サーバ３は、ＰｏＣ通話中に他端末の発言権をコントロールする際、その使用が許可されているか否かの認証を行う。
【００３２】
ＰｏＣサーバ２は発言権を管理しており、先着順に発言権を付与する。なお、通常は、同時に複数の端末には発言権を付与しない。例えば、ユーザ端末Ａ：１−１が発言権を取得したい場合、Ｐｕｓｈボタンを押下することで発言権要求のパケットデータをＰｏＣサーバ２に送る。要求時にどの端末も発言権を保持していなければ、ＰｏＣサーバ２よりユーザ端末Ａ：１−１に許可通知が送付され、ユーザ端末Ａ：１−１からの音声や映像といったデータを許容し、コピーして各端末に転送する。
【００３３】
端末から発言権が解放された場合、新たに先着順に発言権を付与することになる。この時、端末を利用するグループ員各々のアドレス等は、ＰｏＣセッションを確立した際にＰｏＣサーバ２に登録されている。
【００３４】
次に、図５を参照して本発明における動作を説明する。
（１）ステップＳ１０１
まず、ユーザ端末Ａ：１−１を操作するユーザＡは、ユーザ端末Ａ：１−１を用いて通話（通信）グループを作成、又はＰｏＣ通信／通話したい相手を選択し、ＰｏＣサーバ２へアクセスして、ユーザ端末Ａ：１−１と該当する相手とのＰｏＣセッションを確立する。
（２）ステップＳ１０２
次に、ユーザＡは、ユーザ端末Ａ：１−１から、予め認証サーバ３に登録していた他端末Ｃ：１−３を指定し、認証サーバ３によりその使用権を認証される。
（３）ステップＳ１０３
次に、ユーザＡは、ユーザ端末Ａ：１−１から、Ｐｕｓｈ配信を所望する端末Ｃ：１−３内のデータ（格納ファイル／ストリーミング映像／音声等）を選択する。
（４）ステップＳ１０４
次に、ユーザＡは、ユーザ端末Ａ：１−１のＰｕｓｈボタンを押下することで、端末Ｃ：１−３の発言権付与要求を行う。
（５）ステップＳ１０５
すると、ＰｏＣサーバ２の発言権管理機能によって、端末Ｃ：１−３に発言権が付与される。
（６）ステップＳ１０６
端末Ｃ：１−３は、発言権の付与に伴い、ユーザ端末Ａ：１−１によって設定されたデータ（格納ファイル／ストリーミング映像等）をＰｏＣサーバ２にＰｕｓｈ配信する。
（７）ステップＳ１０７
ＰｏＣサーバ２は、Ｐｕｓｈ配信された端末Ｃ：１−３のデータを複製し、ＰｏＣグループ参加者に転送する。
（８）ステップＳ１０８
最後に、ユーザＡがユーザ端末Ａ：１−１のＰｕｓｈボタンを離すと、端末Ｃ：１−３の発言権がリリース（解放）され、端末Ｃ：１−３からの発言／データのＰｕｓｈ配信が終了する。
【００３５】
なお、認証サーバ３は、ユーザ端末Ａ：１−１が端末Ｃ：１−３の発言権付与要求を行う際、ユーザ端末Ａ：１−１に対して、その可否を判定するようにしても良い。例えば、ユーザ端末Ａ：１−１が事前に登録されていれば発言権付与要求を許可するようにする。この時、ＰｏＣ端末１をグループに分けて登録するようにしておき、ユーザ端末Ａ：１−１と端末Ｃ：１−３が同じグループに属する場合のみ許可するようにすることも可能である。また、グループの判定は、ユーザ端末Ａ：１−１や端末Ｃ：１−３に同じグループＩＤを与え、ＰｏＣ通信の際に認証サーバ３が各々の端末のグループＩＤを調べるようにすることで実施しても良い。
なお、ユーザ端末Ａ：１−１の発言権付与要求が拒否された場合、ユーザ端末Ａ：１−１に端末Ｃ：１−３に関する情報が表示されないようにすることも可能である。
【００３６】
本発明の発言権管理システムでは、ユーザＡが、発言権管理しているユーザ端末Ａ：１−１のＰｕｓｈボタンを押下した場合のみ、他端末を利用する他グループ員がデータ視聴することができる。なお、通信自体はＰｏＣ通信であり、同じＣａｌｌ（通信グループ）内であれば、発言権管理している端末から送信された音声／文字／映像等を送受信することができる。また、端末のＰｕｓｈボタンを押下している発言権保持者が、他端末からのデータ送信も操作することができる。
【００３７】
なお、本発明の発言権管理システムの動作は、コンピュータがプログラムを実行することによって実施しても良い。この場合、ＰｏＣ端末１、ＰｏＣサーバ２、認証サーバ３はコンピュータであり、それぞれプログラムを実行するための制御部と、プログラムを格納するための記憶部を備える。
【００３８】
監視モニターのように直接手動操作できないネットワーク端末に対して、各ユーザが使用ユーザ登録をすることにより、ＰｏＣ通信中にそのネットワーク端末の発言権をコントロールすることができる。すなわち、これにより１つのＰＣ／モバイル端末で異なる端末から音声／映像データを送付させることができる。
【００３９】
以上のように、本発明の特徴は、半二重通信／通話システム（ＰｏＣ通話／通信）での通話／通信において、自端末のＰｕｓｈボタンで他端末からの音声／映像等各種データの配信を可能にしたことにある。予め登録されたユーザが他端末からの発言権をコントロールすることで、監視モニター等のネットワーク接続端末内のデータもＰｏＣ通信／通話として配信させることが可能となる。
【図面の簡単な説明】
【００４０】
【図１】図１は、ＰｏＣ（Ｐｕｓｈ−ｔｏ−Ｔａｌｋ  ｏｖｅｒ  Ｃｅｌｌｕｌａｒ）の利用イメージ図である。
【図２】図２は、ＰｏＣのプレゼンス管理のイメージ図である。
【図３】図３は、ＰｏＣを用いた他端末の発言権管理のためのネットワーク図である。
【図４】図４は、ＰｏＣを用いた他端末の発言権管理のための動作例ネットワーク図である。
【図５】図５は、本発明の発言権管理システムの動作を示すフローチャート図である。
【符号の説明】
【００４１】
１（−ｉ、ｉ＝１〜ｎ）…  ＰｏＣ端末
１−１…  ユーザ端末Ａ
１−２…  ユーザ端末Ｂ
１−３…  端末Ｃ
２…  ＰｏＣサーバ
３…  認証サーバ
４…  ネットワーク（通信回線）
【図１】
0004650626.tif 000002
【図２】
0004650626.tif 000003
【図３】
0004650626.tif 000004
【図４】
0004650626.tif 000005
【図５】
0004650626.tif 000006